【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
タバコ小箱の規則的集合体(１)を包装する方法であって、
上記規則的集合体(１)の回りに加熱シール性の透明なプラスチック包装材料のシート(１１)を折畳み、上記規則的集合体(１)に対して突出する２つの管状部分(２１)であって各々が４つのフラップ(１８ｂ、１８ｃ、１８ｄ、１８ｆ)を具備する２つの管状部分(２１)を有する管状包装体を形成する工程と、
上記フラップ(１８ｂ、１８ｃ、１８ｄ、１８ｆ)を少なくとも部分的に重畳させるように各フラップ(１８ｂ、１８ｃ、１８ｄ、１８ｆ)を上記規則的集合体(１)上へと折畳む工程と、
重畳された上記フラップ(１８ｂ、１８ｃ、１８ｄ、１８ｆ)を相互にシールする工程とを具備し、
上記小箱(２)が上記包装材料シート(１１)を通して視認可能であるように、上記包装材料シート(１１)内のみに上記規則的集合体(１)が包装される方法において、
少なくとも一つの外側のフラップ(１８ｄ)はグラフィックス(２０)を担持する部分(１９)を有し、且つ上記フラップ(１８ｂ、１８ｃ、１８ｄ、１８ｆ)は、上記包装材料シート(１１)を溶融して上記グラフィックス(２０)の外側に少なくとも一本のビード・シール(２２、２３、２４、２５)を画成することでシールされることを特徴とするタバコ小箱の包装方法。
【請求項２】
上記規則的集合体(１)は２つの主要面(８)、２つの側面(９)および２つの端面(１０)を有し、上記フラップ(１８ｂ、１８ｃ、１８ｄ、１８ｆ)は上記端面(１０)上に重畳される請求項１に記載の方法。
【請求項３】
上記少なくとも一本のビード・シール(２２、２３、２４、２５)は上記グラフィックス(２０)を囲繞する無端経路(２６)を画成する請求項１または２に記載の方法。
【請求項４】
上記無端経路(２６)は隣接した複数のビード・シール(２２、２３、２４、２５)により画成される請求項３に記載の方法。
【請求項５】
上記隣接したビード・シール(２２、２３、２４、２５)は重なり合う請求項４に記載の方法。
【請求項６】
各ビード・シール(２２、２３、２４、２５)は上記規則的集合体(１)の縁部に近接して配置される請求項３〜５のいずれか１項に記載の方法。
【請求項７】
上記包装材料シート(１１)は、中央パネル(１２)と、該中央パネル(１２)から２本の理想的折り目(１４)により理想的に区分けされた２つの側部パネル(１３)とを具備し、
当該方法は、上記側部パネル(１３)に沿ったスリット(１６)であって、上記包装材料シート(１１)の縁部と上記理想的折り目(１４)との間に延在し且つ上記フラップ(１８ｂ、１８ｃ、１８ｄ、１８ｆ)を構成する複数の部分(１８ａ、１８ｂ、１８ｃ、１８ｄ、１８ｅ)を画成するスリット(１６)を形成する工程を具備する請求項１〜６のいずれか１項に記載の方法。
【請求項８】
各スリット(１６)は上記包装材料シート(１１)を切断することで形成される請求項７に記載の方法。
【請求項９】
各スリット(１６)は上記包装材料シート(１１)の一部を切断および打抜きにより除去することで形成される請求項７に記載の方法。
【請求項１０】
上記スリット(１６)の一端における上記包装材料シート(１１)の部分(１７)は熱的に穿孔して硬化される請求項８または９に記載の方法。
【請求項１１】
上記スリット(１６)の一端において上記包装材料シート(１１)には接着性ラベル(２７)が接着される請求項８または９に記載の方法。
【請求項１２】
各スリット(１６)は、該スリット(１６)の一端における該スリット(１６)の溶融と組み合わせて上記包装材料シート(１１)を切断することによって形成される請求項７に記載の方法。
【請求項１３】
各スリット(１６)は上記包装材料シート(１１)の一部を溶融させることで形成される請求項７に記載の方法。
【請求項１４】
上記包装材料シート(１１)は加熱シール性プラスチック材料の連続的帯状体から切り取られる請求項７〜１３のいずれか１項に記載の方法。
【請求項１５】
請求項１〜１４のいずれか１項に記載のタバコ小箱(２)の規則的集合体(１)の包装方法を実施する包装材料シートであって、
当該包装材料シートが、透明な加熱シール性プラスチック材料から作成され、且つ、上記規則的集合体(１)の回りに折畳まれて上記規則的集合体(１)に対して突出する２つの管状部分(２１)を有する管状包装体を形成し、各管状部分(２１)は互いに重畳され且つシールされる４つのフラップ(１８ｂ、１８ｃ、１８ｄ、１８ｆ)を具備し、当該包装材料シートが、中央パネル(１２)と、当該包装材料シート(１１)が上記規則的集合体(１)の回りに折畳まれて管状包装体を形成したときに突出する管状部分(２１)を画成する２つの側部パネル(１３)とを具備する包装材料シートにおいて、
各側部パネル(１３)は、各突出管状部分(２１)のフラップ(１８ｂ、１８ｃ、１８ｄ、１８ｆ)を画成する隣接部分(１８ａ、１８ｂ、１８ｃ、１８ｄ、１８ｅ)へと上記側部パネル(１３)を分割するスリット(１６)を有し、上記部分(１８ａ、１８ｂ、１８ｃ、１８ｄ、１８ｅ)の少なくとも一つはグラフィックス(２０)を具備することを特徴とする包装材料シート。
【請求項１６】
各側部パネル(１３)は上記包装材料シート(１１)の自由縁部と理想的折り目(１４)との間に延在する請求項１５に記載の包装材料シート。
【請求項１７】
各スリット(１６)は、上記自由縁部に配置された第一端部と、前記自由縁部と上記理想的折り目(１４)との間に配置された第二端部とを有する請求項１６に記載の包装材料シート。
【請求項１８】
上記第二端部は上記理想的折り目(１４)上に配置される請求項１７に記載の包装材料シート。
【請求項１９】
上記包装材料シート(１１)の裂開の開始を防止するように、上記第二端部において各スリット(１６)が湾曲される請求項１７または１８に記載の包装材料シート。
【請求項２０】
上記スリット(１６)の第二端部は、湾曲した無端縁部により境界付けられた開口(２９)により画成される請求項１８に記載の包装材料シート。
【請求項２１】
上記開口(２９)は上記包装材料シート(１１)を打抜くことで形成される請求項２０に記載の包装材料シート。
【請求項２２】
上記開口(２９)は上記包装材料シート(１１)を溶融することで形成される請求項２０に記載の包装材料シート。
【請求項２３】
上記スリット(１６)の第二端部は湾曲フック(２８)の形状である請求項１９に記載の包装材料シート。
【請求項２４】
各スリット(１６)は、上記第二端部において湾曲側部(３２)により接続される２つの対向縁部(３１)を有するスロット(３０)により画成される請求項１８に記載の包装材料シート。
【請求項２５】
上記包装材料シート(１１)の裂開の開始を防止すべく、接着性ラベル(２７)を各スリット(１６)の第二端部に具備する請求項１６または１７に記載の包装材料シート。
【請求項２６】
上記包装材料シート(１１)の裂開の開始を防止すべく、各スリット(１６)の第二端部に上記包装材料シート(１１)の熱硬化部分(１７)を具備する請求項１６または１７に記載の包装材料シート。
【請求項２７】
上記グラフィックス(２０)はバーコードを具備する請求項１５〜２６のいずれか１項に記載の包装材料シート。
【請求項２８】
上記グラフィックス(２０)は上記包装材料シート(１１)の非透明部分(１９)上に配置される請求項１５〜２７のいずれか１項に記載の包装材料シート。
【請求項２９】
上記シート(１１)はポリプロピレンから作成される請求項１５〜２８のいずれか１項に記載の包装材料シート。